(57)【要約】【課題】配電用機器と屋外系光キャビネット、ユーザ系光キャビネットを効率よく設置できる光・電力共用引込盤を提供する。【解決手段】光接続用機器収納部３を、上部を屋外系光キャビネット設置部３１ａに下部をユーザ系光キャビネット設置部３２ｂからなるものとしてボックス本体１の上板部１１からボックス本体１の上下の略中央部まで達する上部縦仕切板２１と該上部縦仕切板２１の下端からボックス本体１の一方の側壁部１２の近傍まで達する横仕切板２２により仕切られる主収納部３１と、横仕切板２２の先端からボックス本体１の下端に達する下部縦仕切板２３と一方の側壁部１２とに仕切られる幅狭収納部３２からなるものとして、また、配電用機器収納部４をボックス本体１の他方の側壁部１３と前記上部縦仕切板２１と横仕切板２２及び下部縦仕切板２３によりその下方を幅広収納部４１として形成する。【選択図】図１
2007236150.tif 000002
【特許請求の範囲】
【請求項１】
前面開口部を扉で開閉するボックス本体内に仕切板を設けて光接続用機器収納部と配電用機器収納部とに区画した光・電力共用引込盤において、光接続用機器収納部を、上部を屋外系光キャビネット設置部に下部をユーザ系光キャビネット設置部からなるものとしてボックス本体の上板部からボックス本体の上下の略中央部まで達する上部縦仕切板と該上部縦仕切板の下端からボックス本体の一方の側壁部の近傍まで達する横仕切板により仕切られる主収納部と、横仕切板の先端からボックス本体の下端に達する下部縦仕切板と一方の側壁部とに仕切られる幅狭収納部からなるものとして、また、配電用機器収納部をボックス本体の他方の側壁部と前記上部縦仕切板と横仕切板及び下部縦仕切板によりその下方を幅広収納部として形成したことを特徴とする光・電力共用引込盤。
【発明の詳細な説明】
【技術分野】
【０００１】
本発明は、集合住宅、オフィスビル等の建物に引き込んだ電力線と光ケーブルをテナント等のエンドユーザに電力と光ケーブルを分配するための光・電力共用引込盤に関するものである。
【背景技術】
【０００２】
従来、集合住宅、オフィスビル等でエンドユーザに電力と光ケーブルの分配は、光ケーブルは電力用配電盤とは別異に設置した通信引込盤により行うのを普通とする。そのため、配電盤と通信引込盤を設置するのに充分なスペースを必要とする問題がある。
【０００３】
また、同一ボックス内に仕切りを介して電力用機器と通信用機器を収納して電力線と通信線を引き込んだものが特許文献１により知れている。しかしながら、これは電力用機器と通信用機器の接地線を統合させるため同一ボックス内に一緒に収納したものであり、光ケーブルの効率よい配線のための配慮がされていないものであった。
【０００４】
【特許文献１】特開２００５−５１９４３号公報（図１２、図１３）
【発明の開示】
【発明が解決しようとする課題】
【０００５】
本発明は前記のような問題点を解決して、ボックス本体内を仕切板により区画した光接続用機器収納部と配電用機器収納部とにそれぞれ屋外系光キャビネット、ユーザ系光キャビネットと配電用機器を効率よく配置できる光・電力共用引込盤を提供することを目的として完成されたものである。
【課題を解決するための手段】
【０００６】
本発明の光・電力共用引込盤は、前面開口部を扉で開閉するボックス本体内に仕切板を設けて光接続用機器収納部と配電用機器収納部とに区画した光・電力共用引込盤において、光接続用機器収納部を、上部を屋外系光キャビネット設置部に下部をユーザ系光キャビネット設置部からなるものとしてボックス本体の上板部からボックス本体の上下の略中央部まで達する上部縦仕切板と該上部縦仕切板の下端からボックス本体の一方の側壁部の近傍まで達する横仕切板により仕切られる主収納部と、横仕切板の先端からボックス本体の下端に達する下部縦仕切板と一方の側壁部とに仕切られる幅狭収納部からなるものとして、また、配電用機器収納部をボックス本体の他方の側壁部と前記上部縦仕切板と横仕切板及び下部縦仕切板によりその下方を幅広収納部として形成したことを特徴とするものである。
【発明の効果】
【０００７】
前記のような本発明は、ボックス本体内に仕切板を設けて光接続用機器収納部と配電用機器収納部とに区画したものであるから、電力用の配電盤とは別異に通信引込盤を設置する必要がないので１つのボックスを設置するだけで良いので設置スペースを小さくできる利点がある。
【０００８】
また、光接続用機器収納部を、ボックス本体の上板部からボックス本体の上下の略中央部まで達する上部縦仕切板と該上部縦仕切板の下端からボックス本体の一方の側壁部の近傍まで達する横仕切板により仕切られる箇所を主収納部として、この主収納部を上部を屋外系光キャビネット設置部に下部をユーザ系光キャビネット設置部として、横仕切板の先端からボックス本体の下端に達する下部縦仕切板と一方の側壁部とに仕切られる幅狭収納
部を光配線用スペースとし、主収納部の下方にエンドユーザに分配するためのユーザ系光キャビネットを設置するので、エンドユーザの増減による光ケーブルの配線がこのユーザ系光キャビネットの直下となる幅狭収納部の光配線用スペースで行うので作業が容易なものであり、また、電柱や地中に敷設された光ケーブルと接続する屋外系光キャビネットは一度引き込んだケーブルの接続変更を行うことが少なく、また、ユーザ系光キャビネットとの配線の変更も少ないので主収納部の上部に設置しても不都合なことはないうえ屋外系光キャビネットへ引き込む光ケーブルの曲率半径を大きくとることができる。
【０００９】
さらに、配電用機器収納部をボックス本体の他方の側壁部と前記上部縦仕切板と横仕切板及び下部縦仕切板により仕切られる箇所をもって形成して下方を幅広収納部としたので、上方に共用電気機器類の電力計等の配電機器を設置し、下方の幅広収納部には各エンドユーザの電気機器に電力を分配するための配電機器をまとめて設置できるものであり、配線のボックス外への引き出すためのスペースを広くとれるという利点がある。
【発明を実施するための最良の形態】
【００１０】
次に、本発明の好ましい実施の形態を図面に基づき説明する。
１は前面開口部１０を図示を略した扉で開閉するボックス本体である。このボックス本体１内は仕切板２を設けて光接続用機器収納部３と配電用機器収納部４とに区画してある。これにより通信引込盤を電力用の配電盤とは別異に設置する必要がないので設置スペースを小さくできる利点がある。
【００１１】
前記光接続用機器収納部３はボックス本体１の上板部１１の左右の略中央部からボックス本体の上下の略中央部まで達する上部縦仕切板２１と該上部縦仕切板２１の下端からボックス本体１の一方の側壁部１２の近傍まで達する横仕切板２２により仕切られる主収納部３１と、横仕切板２２の先端からボックス本体１の下端に達する下部縦仕切板２３とボックス本体１の一方の側壁部１２とに仕切られる幅狭収納部３２を光配線用スペースとしている。そして、主収納部３１は上部を屋外系光キャビネット５を設置する屋外系光キャビネット設置部３１ａに下部をユーザ系光キャビネット６を設置するユーザ系光キャビネット設置部３１ｂとしている。ここで、屋外系光キャビネット５は、電柱や地中に敷設された光ケーブルを引き込むためのものであり、引き込まれた光ケーブルは屋外系光キャビネット５の内部で光ファイバを数本ごとにまとめた光ケーブルとして分配され、ユーザ系光キャビネット６に入線される。また、ユーザ系光キャビネット６は入線された光ケーブルを各エンドユーザに向けて分配するためのものである。
【００１２】
また、配電用機器収納部４はボックス本体１の他方の側壁部１３と前記上部縦仕切板２１と横仕切板２２及び下部縦仕切板２３により仕切られる箇所を下方を幅広収納部４１として形成したものである。
【００１３】
このように構成されたものは、光接続用機器収納部３の主収納部３１を上部を屋外系光キャビネット設置部３１ａに下部をユーザ系光キャビネット設置部３１ｂとしたので、エンドユーザに分配するためのユーザ系光キャビネット６は下部のユーザ系光キャビネット設置部３１ｂに設置するので、エンドユーザの増減による光ケーブルの配線がこのユーザ系光キャビネット６の直下となる幅狭収納部３２の光配線用スペースで行うので新規の配線引き出し等の作業が容易なものである。また、電柱や地中に敷設だれた光ケーブルと接続する屋外系光キャビネット５は上部の屋外系光キャビネット設置部３１ａに設置されているが、これに引き込んだ光ケーブルは変更を行うことが少なく、また、ユーザ系光キャビネット６との配線の変更も少ないので合理的な配置となる。さらに、屋外系光キャビネットへの引き込む光ケーブルの曲率半径を大きくとることができる。
【００１４】
また、配電用機器収納部４はボックス本体１の他方の側壁部１３と前記上部縦仕切板２
１と横仕切板２２及び下部縦仕切板２３により仕切られる箇所を下方を幅広収納部４１として形成しているので、上方に共用電気機器類の電力計等の配電機器７を設置し、下方の幅広収納部４１には各エンドユーザの電気機器に電力を分配するための配電機器８を纏めて設置できるものであるから、扉に点検窓を設けておけば、計測機器の視認性が良い上、下方に配置した配電機器からの配線をボックス外に引き出すためのスペースを広くとれるという利点がある。
【図面の簡単な説明】
【００１５】
【図１】本発明の実施形態を示す概略正面図。
【符号の説明】
【００１６】
１  ボックス本体
11  上板部
12  側壁部
13  側壁部
２  仕切板
21  上部縦仕切板部
22  横仕切板部
23  下部縦仕切板部
３  光接続用機器収納部
31  主収納部
31a  屋外系光キャビネット設置部
32b  ユーザ系光キャビネット設置部
32  幅狭収納部
４  配電用機器収納部
41  幅広収納部
【図１】
2007236150.tif 000003